(57)【特許請求の範囲】
【請求項１】
底部に台板を有する外箱と、
この外箱の内部に弾性支持して設けられた水槽と、
この水槽の内部に設けられ、洗濯物を収容するドラムと、
このドラムを回転駆動する駆動装置と、
この駆動装置の作動を始めとする運転を制御する制御ユニットとを具備し、
その制御ユニットが、前記台板に奥方より前方へスライドさせての引出し可能に取付けられ、その引出したときに該制御ユニットを水平方向に回転させるときの回転中心となる側の位置にリード線出口を有することを特徴とするドラム式洗濯機。
【請求項２】
台板と制御ユニットとのうちの一方が、台板に対する制御ユニットのスライド方向に延びるレール部を有し、他方が、そのレール部に案内される被案内部を有することを特徴とする請求項１記載のドラム式洗濯機。
【請求項３】
制御ユニットが、上側に制御基板を有し、下側に底蓋を有して構成されるものであって、その底蓋にレール部又は被案内部が一対あって、そのレール部又は被案内部の対間の部分に前記制御基板が有する被冷却部の冷却をするファンを下方に突出させて有することを特徴とする請求項２記載のドラム式洗濯機。
【請求項４】
制御ユニットがリード線出口近傍の外部に、リード線受け部を、リード線の伸延方向とほゞ直交し且つ奥側から前方へ突出する形態で有することを特徴とする請求項１ないし３のいずれかに記載のドラム式洗濯機。
【発明の詳細な説明】
【技術分野】
【０００１】
本発明は、制御ユニットの取付構造を改良したドラム式洗濯機に関する。
【背景技術】
【０００２】
従来より、ドラム式洗濯機においては、底部に台板を有する外箱の内部に水槽を弾性支持して設け、この水槽の内部に洗濯物を収容するドラムを設けて、このドラムをモータなど駆動装置より回転駆動することで洗濯を行うようになっている。
【０００３】
そして、その駆動装置の作動を始めとする運転は制御ユニットにより制御されるようになっており、その制御ユニットは、前記外箱の一方の側部（例えば右側部）の下部に前方より収納して複数のねじにより外箱に取付けている。又、それと共に、制御ユニットと電源供給部との間、制御ユニットと表示ユニットとの間、制御ユニットと水位センサを始めとする各種センサとの間、並びに制御ユニットとモータや給水弁及び排水弁等の負荷との間を接続するリード線を、絶縁テープで束ねてバンド風の留め具により外箱に固定している。
【０００４】
この構成で、サービス時、制御ユニットを取外す際には、最初に、リード線を外箱に固定した留め具を外箱から取外し、次いで、その留め具をリード線から取外し、更に、リード線から絶縁テープを取除いた後に、制御ユニットを外箱に取付けたねじを取外し、制御ユニットを外箱から前方に引出すという手順を経る必要があった。
なお、如上の制御ユニットの取付構造を表してはいないが、一般的な制御ユニットの取付構造としては下記の特許文献１及び特許文献２に示したものがある。
【先行技術文献】
【特許文献】
【０００５】
【特許文献１】特開２００７−１７５１６９号公報
【特許文献２】特開２００８−２７２１９６号公報
【発明の概要】
【発明が解決しようとする課題】
【０００６】
上記従来のものにおいて，制御ユニットを取外す際に、最初に、リード線を外箱に固定した留め具を外箱から取外し、次いで、その留め具をリード線から取外し、更に、リード線から絶縁テープを取除く作業が必要とされるのは、その後の外箱からの制御ユニットの引出しによってリード線を引っ張るからであり、換言すれば、リード線を引っ張るほどに制御ユニットを引出してサービス作業をするからである。
【０００７】
リード線は、上述のように、制御ユニットと電源供給部との間、制御ユニットと表示ユニットとの間、制御ユニットと水位センサを始めとする各種センサとの間、並びに制御ユニットとモータや給水弁及び排水弁等の負荷との間をそれぞれに接続するものであり、外箱内の様々な位置から制御ユニットに向かって延びている。このため、制御ユニットを外箱から単に引出すと、いずれかの（特に引っ張り度の大きな）リード線の制御ユニット側端又は反制御ユニット側端で接続部の外れを起こすおそれがあり、それゆえ、制御ユニットを取外してサービス作業をする際には、上述のように、最初に、リード線を外箱に固定した留め具を外箱から取外し、次いで、その留め具をリード線から取外し、更に、リード線から絶縁テープを取除く作業が必要とされるのである。
【０００８】
しかしながら、そのような作業が必要とされる従来のものの場合、制御ユニットの取外しが容易にはできないという問題点を有していた。
【０００９】
本発明は上述の事情に鑑みてなされたものであり、従ってその目的は、制御ユニットの取外しが、面倒な作業を要することなくリード線の引っ張りを避けて、容易にできるドラム式洗濯機を提供するにある。
【課題を解決するための手段】
【００１０】
上記目的を達成するために、本発明のドラム式洗濯機においては、底部に台板を有する外箱と、この外箱の内部に弾性支持して設けられた水槽と、この水槽の内部に設けられ、洗濯物を収容するドラムと、このドラムを回転駆動する駆動装置と、この駆動装置の作動を始めとする運転を制御する制御ユニットとを具備し、その制御ユニットが、前記台板に奥方より前方へスライドさせての引出し可能に取付けられ、その引出したときに該制御ユニットを水平方向に回転させるときの回転中心となる側の位置にリード線出口を有することを特徴とする（請求項１の発明）。
【発明の効果】
【００１１】
上記手段によれば、制御ユニットを台板に取付けた状態から前方に引出してリード線出口側を中心に水平方向に回転させれば、制御ユニットはリード線のリード線出口を通った部分を中心に回転され、その回転された状態で制御ユニットを開いて必要なサービスを無理なく行うことができるので、それ以上にリード線を引っ張ることなく制御ユニットの取外し、サービスができる。よって、その取外しの折り、従来のもののような、最初に、リード線を外箱に固定した留め具を外箱から取外し、次いで、その留め具をリード線から取外し、更に、リード線から絶縁テープを取除くという、面倒な作業が必要とされることはなく、かくして制御ユニットの取外しが容易にできる。
【図面の簡単な説明】
【００１２】
【図１】本発明の一実施例を示す主要部分の取外し説明図
【図２】ドラム式洗濯機全体の、一部を破断した縦断側面図
【図３】ドラム式洗濯機構造体の斜視図
【図４】制御ユニット単体の斜め後上方からの斜視図
【図５】制御ユニット単体の斜め前下方からの斜視図
【図６】外箱台板の斜め前上方からの斜視図
【発明を実施するための形態】
【００１３】
以下、本発明の一実施例（一実施形態）につき、図面を参照して説明する。
まず、図２にはドラム式洗濯機の全体構造を示しており、外箱１を外殻としている。この外箱１は、底部に台板１ａを有しており、その台板１ａ上に箱本体１ｂを結合して構成している。箱本体１ｂの前面部（図２で右側）のほゞ中央部には、洗濯物出入口２を形成し、該出入口２を開閉する扉３を設けている。又、箱本体１ｂの前面部の上部には、操作パネル４を設けており、その裏側（外箱１内）に、操作パネル４が有する各種表示部（図示省略）に表示作動をさせる表示ユニット５を設けている。
【００１４】
箱本体１ｂ（外箱１）の内部には、水槽６を配設している。この水槽６は軸方向が前後（図２で左右）の横軸円筒状を成すものであり、それを台板１ａ上に、この場合、左右一対（一方のみ図示）のサスペンション７によって前上がりの傾斜状に弾性支持している。
水槽６の背部には、モータ８を取付けている。このモータ８は、この場合、例えば直流のブラシレスモータから成るもので、アウターロータ形であり、ロータ８ａの中心部に取付けた回転軸（図示省略）を、軸受ハウジング９を介して水槽６の内部に挿通している。
【００１５】
水槽６の内部には、ドラム１０を配設している。このドラム１０も軸方向が前後の横軸円筒状を成すもので、それを後部の中心部で上記モータ８の回転軸の先端部に取付けることにより、水槽６と同軸の前上がりの傾斜状に支持している。又、その結果、ドラム１０はモータ８により回転されるようになっており、従って、ドラム１０は回転槽であり、モータ８はドラム１０を回転させる駆動装置として機能するようになっている。
【００１６】
ドラム１０の周側部（胴部）には、小孔１１を全域にわたって多数（一部のみ図示）形成している。又、ドラム１０及び水槽６は、ともに前面部に開口部１２，１３を有しており、そのうちの水槽６の開口部１３に、環状のベローズ１４を介して前記洗濯物出入口２を連ねている。この結果、洗濯物出入口２は、ベローズ１４、水槽６の開口部１３、及びドラム１０の開口部１２を介して、ドラム１０の内部に連なっている。
【００１７】
水槽６の最低部である底部の後部には、排水弁１５を介して、排水管１６を接続している。又、水槽６の背部から上方そして前方には、乾燥ユニット１７を配設している。この乾燥ユニット１７は、除湿器１８と、送風装置１９、及び加熱装置２０を有しており、水槽６（ドラム１０）内の空気を除湿し、次いで加熱して、水槽６（ドラム１０）内に戻す循環を行わしめることにより、洗濯物を乾燥させるようになっている。
【００１８】
次いで、図３には、前記外箱１の台板１ａに取付けた制御ユニット２１を示している。この制御ユニット２１は、前記モータ８（駆動装置）の作動を始め、排水弁１５の作動、水槽６内に給水するように設けた給水弁（図示省略）の作動、送風装置１９の作動、及び加熱装置２０の作動など、ドラム式洗濯機の運転を制御するもので、図４及び図５に示すように、ユニットボックス２２を外殻としている。
【００１９】
ユニットボックス２２は、下面が開放した上側のボックス本体２２ａと、これの下面の開放部を塞いだ底蓋２２ｂとから成っており、そのうちのボックス本体２２ａに制御基板（図示省略）を収納して固定している。従って、制御ユニット２１は、上側に制御基板を有しており、下側に底蓋２２ｂを有して構成されている。
【００２０】
ボックス本体２２ａの左側面部の後部には脚部２３を、右側面部の後部には脚部２４を、ともに底蓋２２ｂより下方へ突出するように形成している。又、ボックス本体２２ａの左側面部の前部には固定部２５を底蓋２２ｂより下方へ突出するように、右側面部の前部には固定部２６をボックス本体２２ａの更に右側方へ突出するようにして、ともに前方に面する平板状に形成している。固定部２５，２６は又、ともに前後に貫通する取付孔２７，２８を有している。
【００２１】
底蓋２２ｂの前部の左側部（固定部２５側）の隅部にはリード線出口２９を形成しており、このリード線出口２９からリード線３０を出している。リード線３０は、制御ユニット２１（制御基板）と電源供給部（図示省略）との間、制御ユニット２１と前記表示ユニット５との間、制御ユニット２１と水位センサや振動センサ、温度センサ、ドアセンサ、及びフィルタセンサといった各種センサ（図示省略）との間、並びに制御ユニット２１と前記モータ８や前記給水弁及び前記排水弁１５等の負荷との間を接続するものであり、複数本存在するが、図ではそれを一本にまとめて表しており、そのまとめを一本の外皮チューブで行うようにしても良い。
【００２２】
リード線出口２９の近傍である固定部２５には、上記リード線３０を受けるリード線受け部３１を形成している。このリード線受け部３１は、リード線３０の伸延方向とほゞ直交し且つボックス本体２２ａの奥側から前方へ突出する舌片状の形態を成しており、最前部３１ａを上方へ起こしている。
【００２３】
底蓋２２ｂの中央部には、左右一対の被案内部３２を下方へ突出させて形成しており、この被案内部３２はともに前後に延びる突条状を成している。更に又、底蓋２２ｂの中央部には、上記被案内部３２の対間に位置させて、ファンガード部３３を下方へ突出させて形成しており、このファンガード部３３は前後左右の４方にわたる囲い状を成している。このファンガード部３３の内方に位置させて、底蓋２２ｂの中央部にはファン３４を取付けている。このファン３４は、前記制御基板が有するＩＧＢＴ等の被冷却部（図示省略）の冷却をするもので、その被冷却部と対応し、ファンガード部３３の突出長の範囲で底蓋２２ｂの下面より下方へ突出している。
【００２４】
これらに対して、前記外箱１の台板１ａには、図６に示すように、前部の右側に制御ユニット取付部３５を設けている。この制御ユニット取付部３５は、前記制御ユニット２１の脚部２３，２４を前方よりスライドさせて載せる脚受け部３６，３７と、固定部２５が当接する部分において取付孔２７と対応するねじ穴３８、被案内部３２をそれぞれに受容して前後にスライドさせるべく前後に延びるそれぞれ２つずつの突条部３９ａ，３９ｂから成る左右一対のレール部３９とを有して構成されている。
【００２５】
又、その制御ユニット取付部３５におけるレール部３９の対間の部分は、前記ファン３４の下方への突出部分（ファンガード部３３）を収容し得るようにしていて、その底部に多数のスリット状孔から成る通風口４０を形成している。
【００２６】
そのほか、前記箱本体１ｂの前縁における右側のフランジ部１ｂ１（図３参照）には、制御ユニット２１の固定部２６が当接する部分において取付孔２８（それに後述のように螺挿したねじ４４参照）と対応するねじ穴（図示省略）を形成している。
又、図３には、前記リード線３０と、これの途中部を難燃材から成るカバー４１上に緊縛固定したバンド風の留め具４２をも示している。
【００２７】
次に、上記構成のものにおける制御ユニット２１の取付け、取外しの手順を述べる。
制御ユニット２１を取付けるには、まず、図１の（ｂ）に示すように、制御ユニット２１を外箱１の台板１ａにおける制御ユニット取付部３５の前方に位置させて、そこから矢印Ａとは反対に奥方に向かって進め、レール部３９の対間の部分にファン３４の下方への突出部分を合わせ入れつつ、被案内部３２をレール部３９に嵌める。
【００２８】
そして、制御ユニット２１を台板１ａの更に奥方に向かって進めれば、被案内部３２がレール部３９に案内されて、制御ユニット２１が脚受け部３６，３７に向かって進み、その脚受け部３６，３７に脚部２３，２４が載置される。又、そのときには、台板１ａのねじ穴３８に制御ユニット２１の固定部２５の取付孔２７が合致し、箱本体１ｂのフランジ部１ｂ１のねじ穴（図示省略）に制御ユニット２１の固定部２６の取付孔２８が合致する。
【００２９】
そこで、次には、上記制御ユニット２１の取付孔２７から台板１ａのねじ穴３８に図３及び図５に示すねじ４３を螺挿し、制御ユニット２１の取付孔２８から箱本体１ｂのねじ穴（図示省略）に同図に示すにねじ４４を螺挿して、ともに締付ける。かくして、制御ユニット２１を外箱１の台板１ａにおける制御ユニット取付部３５から箱本体１ｂにかけて取付けることができる。なお、その後には、制御ユニット２１のリード線出口２９から出たリード線３０をカバー４１上に留め具４２で緊縛固定する。図１の（ａ）は、このようにして外箱１の台板１ａに制御ユニット２１を取付けた状態を示している（留め具４２は省略）。
【００３０】
さて、取付けた制御ユニット２１を取外すには、まず、留め具４２を取外すと共にねじ４３，４４を取外す。次いで、図１の（ｂ）に矢印Ａで示すように、制御ユニット２１を前方に引き、脚部２３，２４を脚受け部３６，３７から離脱させると共に、被案内部３２をレール部３９から離脱させる。
【００３１】
そして、その被案内部３２をレール部３９から離脱させた直後の位置で、図１の（ｃ）に矢印Ｂで示すように、制御ユニット２１をリード線出口２９側を中心に水平方向に回転させる。よって、リード線出口２９は制御ユニット２１を上述のように引出して水平方向に回転させるときの回転中心となる側の位置に存在するものである。
その後、図１の（ｄ）に示すように、ユニットボックス２２のボックス本体２２ａを、底蓋２２ｂから後側より開いて、制御基板の点検や交換など必要なサービスを行うことができる。
【００３２】
このように上記構成のものでは、制御ユニット２１が、外箱１の台板１ａに奥方より前方へスライドさせての引出し可能に取付けられるもので、引出したときには該制御ユニット２１を水平方向に回転させるときの回転中心となる側の位置にリード線出口２９を有するもので、それにより、制御ユニット２１を台板１ａに取付けた状態から前方に引出してリード線出口２９側を中心に水平方向に回転させれば、制御ユニット２１はリード線３０のリード線出口２９を通った部分を中心に回転され、その回転された状態でユニットボックス２２を開いて必要なサービスを無理なく行うことができるので、それ以上にリード線３０を引っ張ることなく制御ユニット２１の取外し、サービスができる。
【００３３】
よって、その取外しの折り、従来のもののような、最初に、リード線を外箱に固定した留め具を外箱から取外し、次いで、その留め具をリード線から取外し、更に、リード線から絶縁テープを取除くという、面倒な作業が必要とされることはなく、かくして制御ユニット２１の取外しが容易にできる。
【００３４】
加えて、上記構成のものでは、外箱１の台板１ａが制御ユニット２１のスライド方向に延びるレール部３９を有し、制御ユニット２１がそのレール部３９に案内される被案内部３２を有している。これにより、外箱１の台板１ａに対する制御ユニット２１の取付けをそれらを合わせながらのスライドによりスムーズに行うことができ、作業性を良くすることができると共に、台板１ａのねじ穴３８に対する制御ユニット２１の取付孔２７の合わせ、並びに箱本体１ｂのフランジ部１ｂ１のねじ穴に対する制御ユニット２１の取付孔２８の合わせも、難なく行うことができて、作業性を一層良くすることができる。
【００３５】
なお、この場合、上述とは逆に、レール部３９を制御ユニット２１に設け、被案内部３２を台板１ａに設けるようにしても良い。又、その被案内部３２は前後に延びる突条状でなく、点在的な突起状を成すものであっても良い。
【００３６】
又、制御ユニット２１は、上側に制御基板を有し、下側に底蓋２２ｂを有して構成されるものであって、その底蓋２２ｂに制御基板が有する被冷却部の冷却をするファン３４を有している。これにより、例えば外箱１内での結露により滴下する水が上方より制御ユニット２１にかかっても、それは制御ユニット２１の上側（ボックス本体２２ａ）でファン３４にかかることが避けられるので、電気的安全性を良好に確保することができる。
【００３７】
しかも、この場合、被案内部３２は一対あって、その被案内部３２の対間の部分にファン３４を下方に突出させて有している。これにより、制御ユニット２１の取付時には、レール部３９の対間の部分にファン３４の下方への突出部分を合わせ入れることで、それがレール部３９に被案内部３２を嵌めるガイドとなり、レール部３９に対する被案内部３２の嵌合が容易にできるようになるので、作業性を更に一層良くすることができる。
なお、この場合も、底蓋２２ｂには被案内部３２でなくレール部３９が設けられていて
、そのレール部３９の対間の部分にファン３４が下方に突出して設けられていても良い。
【００３８】
更に、制御ユニット２１はリード線出口２９近傍の外部に、リード線３０を受けるリード線受け部３１を、リード線３０の伸延方向とほゞ直交する形態で有している。これにより、リード線３０を受けて垂らすことがないので、リード線３０及びこれの制御ユニット２１の制御基板に対する接続部にかかるストレスを軽減できると共に、制御ユニット２１をねじ４３，４４で台板１ａに固定する際にリード線３０が作業の邪魔になることのないようにでき、且つそのねじ４３，４４でリード線３０を傷付けることもないようにできる。
【００３９】
しかも、この場合、リード線受け部３１は奥側から前方へ突出する形態で有しており、これによって制御ユニット２１を引出す際にリード線３０がリード線受け部３１から落下することのないようにできる（リード線受け部３１を反対の突出形態で有していると、制御ユニット２１を引出す際にリード線３０がリード線受け部３１から落下する可能性が高い）。
【００４０】
なお、本発明は上記し且つ図面に示した実施例にのみ限定されるものではなく、特に乾燥機能の有無等の点につき、要旨を逸脱しない範囲内で適宜変更して実施し得る。
【符号の説明】
【００４１】
図面中、１は外箱、１ａは台板、６は水槽、８はモータ（駆動装置）、１０はドラム、２１は制御ユニット、２２ｂは底蓋、２９はリード線出口、３０はリード線、３１はリード線受け部、３２は被案内部、３４はファン、３９はレール部を示す。
【図１】
0005449921.tif 000002
【図２】
0005449921.tif 000003
【図３】
0005449921.tif 000004
【図４】
0005449921.tif 000005
【図５】
0005449921.tif 000006
【図６】
0005449921.tif 000007